(57)【特許請求の範囲】
【請求項１】
複数種類の記録媒体を交換もしくは切り替えて選択的に使用可能とする複数記録メディア選択手段を有する撮像記録装置であって、該記録媒体の記録速度を識別する手段と、該記録媒体の記録速度に応じて、記録速度に影響を与える複数の撮影パラメータを選択可能な撮影パラメータと選択不可能な撮影パラメータに分類する分類手段と、該選択可能な撮影パラメータと該選択不可能な撮影パラメータとを異ならしめて表示する表示手段とを有することを特徴とする撮像記録装置。
【請求項２】
請求項１において、前記分類手段は該記録媒体の記録速度に応じて、複数の撮影モードを選択可能な撮影モードと選択不可能な撮影モードに分類し、前記表示手段は該選択可能な撮影モードと選択不可能な撮影モードを異ならしめて表示することを特徴とする撮像記録装置。
【請求項３】
請求項２において、撮像モードとして少なくとも単写撮影モードと連写撮影モードとを有し、該記録媒体の記録速度識別の結果、該記録速度が該記録媒体が有する記録速度が選択されている圧縮率、選択可能な最低記録画素数、選択可能な最低フレームレートから決定される所定の記録速度より小さい場合、連写撮影モードを選択不可とする手段を有することを特徴とする撮像記録装置。
【請求項４】
請求項３において、連写撮影モードを選択したときのみ、フレームレートの設定を可能とすることを特徴とする撮像記録装置。
【請求項５】
請求項３において、連写撮影モードを選択した場合は、該記録媒体が有する記録速度と記録媒体の空き容量及び選択されている圧縮率からデフォルトのフレームレート、記録画素数を決定する手段を有することを特徴とする撮像記録装置。
【請求項６】
請求項５において、フレームレートが最大となるようデフォルトのフレームレートと記録画素数とを決定するモードを有することを特徴とする撮像記録装置。
【請求項７】
請求項５において、記録画素数が最大となるようデフォルトのフレームレートと記録画素数とを決定するモードを有することを特徴とする撮像記録装置。
【請求項８】
請求項５において、フレームレートの設定モードを有し、該フレームレート設定モードにおいて、現状選択されている記録媒体の記録速度、現状選択されている記録画素数、圧縮率において選択可能なフレームレート以外を選択不可として表示することを特徴とする撮像記録装置。
【請求項９】
請求項８において、選択不可能なフレームレートを利用者が選択した場合に、記録画素数を変更すれば該選択肢を選択可能となる場合は、必要な変更を指示する警告を表示し、記録画素数を変更しても該選択肢を選択不能な場合は、選択不能であることを示す警告を表示することを特徴とする撮像記録装置。
【請求項１０】
請求項５において、記録画素数の設定モードを有し、該記録画素数設定モードにおいて、現状選択されている記録媒体の記録速度、現状選択されているフレームレート、圧縮率において選択可能な記録画素数以外を選択不可として表示することを特徴とする撮像記録装置。
【請求項１１】
請求項１０において、選択不可能なフレームレートを利用者が選択した際に、記録画素数を変更すれば該選択肢を選択可能となる場合は、必要な変更を指示する警告を表示し、記録画素数を変更しても該選択肢を選択不能な場合は、選択不能であることを示す警告を表示することを特徴とする撮像記録装置。
【請求項１２】
請求項３において、単写撮影モードを選択した場合は、空き容量及び選択されている圧縮率からデフォルトの記録画素数を決定する手段を有することを特徴とする撮像記録装置。
【請求項１３】
請求項１２において、選択されている圧縮率と空き容量の範囲内で記録画素数が最大となるよう記録画素数を決定するモードを有することを特徴とする撮像記録装置。
【請求項１４】
請求項２において、該記録媒体交換時に交換前の記録媒体の記録速度識別情報及び撮影モードと撮影パラメータを記憶する手段を有し、記録媒体の交換後に、交換後の記録媒体の記録速度が交換前の記録媒体の記録速度以上であった場合は、デフォルトの撮影モードと撮影パラメータとを、媒体交換前の撮影モードと撮影パラメータに設定することを特徴とする撮像記録装置。
【請求項１５】
請求項２において、該記録媒体記録速度識別の結果、該記録媒体が有する記録速度が所定値より小さい場合は、デフォルトの撮影モードを単写撮影モードとすることを特徴とする撮像記録装置。
【請求項１６】
請求項１から１５のいずれか１つにおいて、交換可能ドライブ中もしくは記録媒体中に記録媒体種別識別情報を有し、該記録媒体種別情報に基づいて該記録媒体の記録速度を識別する手段を有することを特徴とする撮像記録装置。
【請求項１７】
請求項１から１５のいずれか１つにおいて、交換可能ドライブ中もしくは記録媒体中に記録媒体の記録速度識別情報を有することを特徴とする撮像記録装置。
【発明の詳細な説明】
【０００１】
【発明の属する技術分野】
本発明は、交換可能記録媒体に単写、もしくは連写で静止画を記録する撮像記録装置に関する。
【０００２】
【従来の技術】
近年デジタル技術の進歩により、デジタル化した静止画を、ＰＣカード規格のメモリカードやハードディスクカード等の交換可能記録媒体に記録するデジタルカメラが普及しつつある。デジタルカメラの撮影モードとして、一枚の静止画を記録する単写機能と、複数の静止画を連続的に記録する連写モードとは、カメラの機能として重要であり、連写の際のフレームレートを例えば３０ｆｐｓのように高速にすることで動画記録も可能とすることにより、デジタルカメラの用途をカムコーダの領域にまで広げることができる。また、デジタルカメラの特徴として、任意の記録画素数、圧縮率、フレームレートで記録できるという点がある。
【０００３】
一方、ＰＣカード規格に準拠した記録媒体の中には、様々な方式の記録媒体があり、性能や容量にも幅がある。一般的にいって、メモリカードは、記録速度が遅く小容量であるが、耐環境性にすぐれ、ハードディスクカードは、記録速度が速く大容量であるが、耐環境性に難点がある。利用者は、用途に応じて記録媒体を選択してデジタルカメラに装着し、撮影モード、撮影パラメータを設定して使用していた。
【０００４】
【発明が解決しようとする課題】
しかしながら、以上のように、記録媒体の種類によって、記録速度が遅い記録媒体の場合、利用者が連写撮影モードに設定した場合、選択した記録画素数やフレームレートでは正常に記録できず、駒落ちが発生するなどの不具合が発生することがあった。使用する記録媒体によって、どのような撮影モード、撮影パラメータが使用可能であるかは利用者の試行錯誤に頼っており、極めて利用者に負担をかけるものであった。
【０００５】
本発明は、以上のような局面にかんがみてなされたもので、利用者に負担をかけることなく、記録媒体の交換後、すぐに失敗の怖れなく撮影可能な手段の提供を目的としている。
【０００６】
【課題を解決するための手段】
前記目的を達成するため、本発明では、撮像記録装置を次の（１）のとおりに構成する。
（１）複数種類の記録媒体を交換もしくは切り替えて選択的に使用可能とする複数記録メディア選択手段を有する撮像記録装置であって、該記録媒体の記録速度を識別する手段と、該記録媒体の記録速度に応じて、記録速度に影響を与える複数の撮影パラメータを選択可能な撮影パラメータと選択不可能な撮影パラメータに分類する分類手段と、該選択可能な撮影パラメータと該選択不可能な撮影パラメータとを異ならしめて表示する表示手段とを有する撮像記録装置。
【０００７】
【作用】
以上のような本発明構成により、利用者が使用する記録媒体の記録速度に応じて、使用可能な撮影モードと撮影パラメータを簡単に利用者が判別可能な撮像記録装置を提供するものである。さらに、該記録媒体の記録速度及び空き容量に応じて、デフォルトの撮影モードと撮影パラメータとを自動設定する手段を有することで、記録媒体の交換後、すぐに失敗の怖れなく撮影可能な撮像記録装置を提供するものである。
【０００８】
【発明の実施の形態】
【０００９】
【実施例】
（第１実施例）
図８は、本発明に係る第１の実施例の撮像記録装置の構成ブロック図である。同図において、４０１はレンズ、４０２は固体撮像素子、４１２はデータバス、４０３は、固体撮像素子４０２の出力をＡ／Ｄ変換するＡ／Ｄ変換回路、４０６は、Ａ／Ｄ変換回路４０３の出力すなわち固体撮像素子４０２の生データを一旦記憶するメモリ、４０４は、メモリ４０６に記憶された固体撮像素子４０２の生データを記録に適した画像データに信号処理する信号処理回路、４０５は、信号処理された画像データを圧縮する圧縮回路、４２１は、圧縮画像データ記録する記録媒体、４０８は、記録媒体４２１を内蔵する交換ドライブ、４０７は、記録媒体４２１への圧縮画像データの読み書きの際にデータバス４１２と交換ドライブ４０８間のデータの通信を行う記録媒体インタフェース回路である。
【００１０】
１は、記録媒体４２１の種類を識別するための記録媒体種別識別情報である。例えば交換ドライブとしてＰＣカードを用いた場合、記録媒体種別識別情報１としてタプル情報からベンダー名、ドライブ型名等を得ることができる。５００は、撮像記録装置の動作を制御するシステム制御部であり、４０９は、撮影者が操作を行うための操作部、５０１は、撮影者が撮影モードや撮影パラメータを選択したり確認するための表示部である。
【００１１】
６１は、撮影者が撮影を行うための撮影トリガボタンであり、６２は、撮影モードと撮影パラメータを設定する際に操作する撮影モード・パラメータ設定ボタンである。２は、記録媒体種別識別情報１より記録媒体４２１の種別を認識する記録媒体種別認識手段、５は、記録媒体４２１の種別と特性を対応づけて記憶する記録媒体特性テーブル、３は、記録媒体種別認識手段２によって認識された記録媒体４２１の種別と記録媒体特性テーブル５とから記録媒体の特性を取得し、この情報を基に選択可能な撮影モード及び撮影パラメータを決定する選択可能撮影モード決定手段である。
【００１２】
ここで、本実施例の撮像記録装置においては、撮影モードとしては１枚の静止画を記録する単写モードと複数枚の画像を所定のフレームレートで連続撮影する連写モードであるものとする。また、撮影パラメータとして１枚の画像の縦横の画素数を設定する記録画素数、連写の際のフレームレート、圧縮率があるものとする。４は、表示部５０１の表示を制御する表示部制御手段である。６は、記録媒体４２１の空き容量を算出する空き容量算出手段、７は、交換前の記録媒体４２１の種別を記録する交換前記録媒体種別識別手段、８は、記録媒体交換前の撮影モード、撮影パラメータを記憶する交換前撮影モード・パラメータ記憶手段である。
【００１３】
図１は本第１実施例の動作シーケンスの概要を説明するフローチャートである。図１と前記図８とを用いて本実施例の動作を説明する。図１において、ステップＳ７は割り込み待ちループになっており、割り込みがなければ、割り込みがあるまで待ち、割り込みがあれば、割り込み処理を行う。ステップＳ１において撮影者が電源を投入すると、ステップＳ２においてシステム制御部５００は、各種初期設定処理を行う。
【００１４】
次にステップＳ３の判断ステップにおいて、記録媒体４２１が挿入済みであれば（ただし図８のような実施例においては、交換ドライブ４０８の挿入を以って記録媒体４２１の挿入とする）、ステップＳ５２にて電源オフ前の撮影モードと撮影パラメータを復元し割り込み処理ループＳ７に戻る。ステップＳ８において記録媒体４２１は挿入されたと判断された場合、ステップＳ５３で選択可能撮影モード決定手段３は記録媒体種別識別手段２によって、記録媒体種別識別情報１を読み取り取得する。
【００１５】
次にステップＳ５４で選択可能撮影モード決定手段３は、ステップＳ５３で取得した記録媒体種別識別情報１をキーとして、記録媒体特性テーブル５より記録媒体４２１の記録速度Ｒｍｉｎを取得する。次にステップＳ５５で、選択可能撮影モード決定手段３は、交換前記録媒体種別記憶手段７より記録媒体交換以前に使用していた記録媒体４２１の種別を取得する。
【００１６】
次にステップＳ５６で、選択可能撮影モード決定手段３は、ステップＳ５５で取得した交換前の記録媒体の記録媒体種別識別情報１をキーとして記録媒体特性テーブル５より交換前の記録媒体４２１の記録速度Ｒ’ｍｉｎを取得する。次にステップＳ５７で、選択可能撮影モード決定手段３は、空き容量算出手段６により記録媒体４２１の空き容量を算出し取得する。
【００１７】
次にステップＳ４で、選択可能撮影モード決定手段３は、交換前撮影モード・パラメータ記憶手段８より記録媒体交換以前に使用していた撮影モードと撮影パラメータを取得する。次にステップＳ５において、ステップＳ５３，Ｓ５４，Ｓ５５，Ｓ５６，Ｓ５７で取得した情報より選択可能撮影モード決定手段３は、選択可能な撮影モード及びデフォルトの撮影パラメータを決定する。次にステップＳ６において選択可能な撮影モードを反映して表示部５０１の表示を更新する。
【００１８】
ステップＳ９において、撮影モードもしくは撮影パラメータの選択動作が行われたと判断された場合、ステップＳ１０において撮影モードもしくは撮影パラメータの選択動作を行う。
【００１９】
ステップＳ５０において、記録媒体４２１が抜かれたと判断されたときは、ステップＳ５１において、システム制御部５００は交換前記録媒体種別記憶手段７に抜かれた記憶媒体の種別を記憶し、交換前撮影モード・パラメータ記憶手段に記録媒体４２１を交換する前の撮影モードと撮影パラメータを記憶する。
【００２０】
ステップＳ５８で電源オフ動作と判断された場合は、ステップＳ５９で現撮影モードと撮影パラメータを記憶し、ステップＳ６０で電源オフする。
【００２１】
図２は、図１ステップＳ５の選択可能撮影モードとデフォルト撮影パラメータ決定の過程により詳細なフローチャートである。図２のステップＳ１４において、交換前の記録媒体４２１の記録速度Ｒ’ｍｉｎと交換後の記録媒体の記録速度Ｒｍｉｎとを比較し、Ｒｍｉｎ＜Ｒ’ｍｉｎであれば、ステップＳ１５の判断ステップに進む。ステップＳ１５において、設定可能な記録画素数の最低値をＮｍｉｎ、設定可能なフレームレートの最低値をＦｒｍｉｎ、設定圧縮率をＣｒとしたときに、
Ｒｍｉｎ＞Ｎｍｉｎ×Ｆｒｍｉｎ×Ｃｒ
が成立するときは、最低の記録画素数、最低のフレームレートに設定しても記録媒体４２１の記録速度が不足することになるので、ステップＳ１６で連写モードを選択不可にする。上記の式が成立しないときは、ステップＳ１７で連写モードを選択可にする。
【００２２】
次にステップＳ１８にて媒体交換前の撮影モードが選択可であると判断されれば、ステップＳ１９で、媒体交換前の撮影モードに設定する。一方、ステップＳ１８にて媒体交換前の撮影モードが選択不可であると判断されたときは、ステップＳ２０にて単写モードに設定される。次にステップＳ１９もしくはＳ２０の結果に基づき、ステップＳ２３で撮影モード選択画面の表示を更新する。次にステップＳ２４にてデフォルトの撮影パラメータを設定し、ステップＳ２５にて撮影パラメータの設定表示を更新する。
【００２３】
一方、ステップＳ１４において、Ｒｍｉｎ＞＝Ｒ’ｍｉｎの場合は、ステップＳ２１で、選択可能記録モードは媒体交換前の記録モードと同じに設定され、ステップＳ２２で交換前の撮影モードに設定される。次にステップＳ２６で撮影モード選択表示を更新し、ステップＳ２７で記録媒体交換前の撮影パラメータに設定し、ステップＳ２５で撮影パラメータ設定表示を更新する。
【００２４】
図１４は、デフォルトの撮影パラメータ設定の際の動作シーケンスフローチャートを示す図である。同図において、ステップＳ７０において連写モードが選択されている場合は、ステップＳ７１において、記録媒体の記録速度及び空き容量の範囲内で最大フレームレートとなるよう記録画素数を設定する。一方、ステップＳ７０において連写モードでないと判断された場合は、ステップＳ７２で空き容量の範囲内で記録画素数を最大に設定する。
【００２５】
図１４では、連写モードにおいてフレームレートが最大となるよう記録画素数を決定したが、これをフレームレート優先モードとし、逆に連写の際にて記録媒体の記録速度及び空き容量の範囲内で記録画素数が最大となるようにする記録画素数優先モードを設けてもよい。
【００２６】
図３，図４，図５，図６，図７は、それぞれ図１ステップＳ１０の撮影者による撮影モード及び撮影パラメータ選択動作の詳細なフローチャートを示した図である。また、図１１，図１２，図１３は、それぞれ撮影モード及び撮影パラメータの設定画面例を示した図である。
【００２７】
図１１において、３０１は設定画面、３０２は撮影モードの表示部、３０４は連写モードの、３０５は単写モードのそれぞれ選択肢表示である。３０６はフレームレートの表示部、３０７，３０８，３０９は、それぞれ選択可能なフレームレートの選択肢表示である。３１０は記録画素数の表示部であり、３１１，３１２，３１３はそれぞれ記録画素数の選択肢表示である。３１８は、撮影者が設定項目を移動するための項目移動ボタンである。３１９と３２０は、それぞれ選択肢を選択するためのアップボタン、ダウンボタンである。
【００２８】
３２１は選択された選択肢に設定するための設定ボタンである。項目ボタン３１８を押す度に撮影モード、フレームレート、記録画素数の順に設定項目が切り替わる。設定対象の項目の表示領域を囲む枠線が太く表示されるようになっている。また、アップボタン３１９、ダウンボタン３２０によって各項目内の選択肢を移動することができる。選択された選択肢は選択肢を囲む枠線が太く表示される。また、選択できない項目もしくは選択肢は薄く表示される。選択肢を選択して設定ボタン３２１を押すことによって撮影モードもしくは撮影パラメータが設定される。設定された選択肢は表示が白黒反転する。
【００２９】
図３は、図１ステップＳ１０で撮影モードを選択する際の選択動作シーケンスフローチャートである。ステップＳ２８において、単写モードに設定されたと判断された場合は、ステップＳ２９でフレームレート設定選択不可として選択不可表示にする。次にステップＳ６１において、全ての記録画素数を選択可にする。前記説明の図１１は、撮影者が撮影モードを設定する際の表示例を示したものであり、デフォルトの撮影モードは連写モードに、フレームレートは３０ｆｐｓに、記録画素数は３２０×２４０に設定された状態になっている。
【００３０】
この状態では、記録媒体の記録速度から６４０×４８０の記録画素数は選択不可であるため、選択肢３１１が薄く表示されている。撮影モードの項目を表示枠３０２が太く表示されているときに、アップボタン３１９、ダウンボタン３２０によって単写モードの選択肢３０５を選択すると、図１２に示すように、単写モードの選択肢３０５の枠線が太線表示になる。ここで設定ボタン３２１を押すと、単写モードの選択肢３０５が白黒反転表示され、単写モードに設定されたことを示すと共に、フレームレート設定項目の表示領域３０６内が全て薄く表示され選択できないことを示す。また、記録画素数の選択肢は全て選択可となるよう濃く表示される。
【００３１】
図４は図１ステップＳ１０でフレームレートの設定が選択された場合の動作シーケンスフローチャートを示した図であり、図１３はフレームレートの設定が選択された際の表示状態例を示している。図４のステップＳ３０においてフレームレートの設定が選択された場合、ステップＳ３１において現在使用されている記憶媒体の転送レート、現状選択されている記録画素数・圧縮率において選択可能なフレームレート以外選択不可能とし表示する。
【００３２】
図５は図４ステップＳ３１の詳細なフローチャートを示す図である。ステップＳ３２でユーザーがフレームレートを選択した場合、ステップＳ３３でそのフレームレートが設定可能なフレームレートか否かを判断し、現在選択されている記録画素数と圧縮率、記録速度において設定可能なフレームレートであれば、ステップＳ３４でフレームレートをそのフレームレートに設定する。
【００３３】
ステップＳ３３でその設定可能フレームレートでないと判断された場合、ステップＳ３５で記録画素数を変更すればこのフレームレートを選択可能であると判断された場合、ステップＳ３６で「記録画素数を××以下にしないとそのフレームレートは選択できません」と警告表示を行う。図１５にその警告表示例を示す。
【００３４】
次にステップＳ３８でユーザーの応答があれば、ステップＳ３９でフレームレート変更前の値に戻して設定する。一方、ステップＳ３５において記録画素数を変更してもそのフレームレートを選択不能な場合は、ステップＳ３７で「そのフレームレートは選択できません」と警告表示し、ステップＳ３８でユーザー応答があればステップＳ３９でフレームレート変更前の値に戻して設定する。
【００３５】
図６は、図１のステップＳ１０において、記録画素数設定選択時の詳細フローチャートである。この設定が選択されると、ステップＳ４１で現在使用されている記録媒体の転送レート、現状選択されているフレームレート・圧縮率において選択可能な記録画素数以外選択不可として表示する。
【００３６】
また、図７は図６のステップＳ４１の詳細フローチャートである。すなわち、ステップＳ４３で設定可能記録画素数をステップＳ４４で設定する。
【００３７】
一方、ステップＳ４３で記録画素数の設定が不可能の場合は、ステップＳ４５でフレームレートを変更すれば記録画素数を選択可能か否かにより、可能な場合は、ステップＳ４６で“フレームレートを××以下にしないとその記録画素数は選択できません”と警告表示し、不可能な場合はステップＳ４７で、“その記録画素数は選択できません”と警告表示して、それぞれステップＳ４８に進み、ユーザーの応答があれば、ステップＳ４９で記録画素数変更前の値に戻して設定する。
【００３８】
（第２実施例）
図９は、本発明の第２の実施例における撮像記録装置の構成ブロック図である。図９において、前記第１実施例の図８と異なっているのは、交換可能記録媒体４２２中に記録媒体種別識別情報１を書き込むようにすることで、記録媒体の種別を識別する以外は、第１実施例と動作は同じである。
【００３９】
前記第１実施例では、記録媒体種別識別情報１をキーとして記録媒体特性テーブル５から記録媒体の記録速度を得るようにして、選択可能な撮影モードと撮影パラメータを決定しているが、直接、記録速度情報を記録媒体種別識別情報１として持つようにし、また、交換前記録媒体種別記憶手段７に交換前記録媒体の記録速度情報を、直接記憶するよう構成して、記録媒体特性テーブル５を省略するよう構成してもよい。
【００４０】
（第３実施例）
図１０は、本発明に係る第３の実施例を示す構成ブロック図であり、前記第１実施例の図８と異なっているのはドライブを２系統有している点である。図１０において、４０８は第１のドライブ、４１０は第２のドライブである。４１１は、第１ドライブ４０８とデータバス４１２をインタフェースする第１記録媒体インタフェース回路、４０７は、第２ドライブ４１０をデータバス４１２にインタフェースする第２記録媒体インタフェース回路である。
【００４１】
６４は記録媒体選択手段、６３は記録媒体選択ボタンであり、記録媒体選択ボタン６３の操作によって選択されたドライブが記録媒体選択手段によって選択されデータバス４１２を介して読み書きされる。このようなシステムにおいては、ドライブの交換なしに２種類の記録媒体を使用することができる。２種類のドライブが切り替えて使用される以外は前記第１実施例と同様である。
【００４２】
なお、本実施例では記録媒体の識別情報１としてドライブ型名を得、記録媒体特性テーブル５を参照することで記録媒体の記録速度を得ていた。ここで、記録媒体特性テーブル５は予め数種類の記録媒体の特性を有していてもよいが、記録媒体特性テーブル５に無い記録媒体が接続された場合は、空き領域にテストデータを記録して測定した結果を記録媒体特性テーブル５に記憶するようにしてもよい。
【００４３】
【発明の効果】
以上説明したように、本発明によれば、種々の記録媒体を交換もしくは切り替えて使用可能な撮像記録装置において、使用記録媒体の記録速度に応じて選択可能な撮影モードと撮影パラメータを撮像記録装置が自動的に判断し、利用者に選択可能な撮影モードと撮影パラメータを表示し、デフォルトの撮影モードと撮影パラメータを設定し、選択不能な撮影パラメータを利用者が選択しようとした場合は警告表示、もしくは変更を指示するよう表示するため、利用者が記録媒体の特性を意識することなく種々の記録媒体を用いて失敗なく撮影することができるようになった。
【００４４】
記録媒体の種類によって、記録速度が遅い記録媒体の場合は、記録速度、選択されている圧縮率において、設定可能な最低フレームレート、最低記録画素数でも連写ができない場合は連写モードを自動的に選択不能とする等、記録媒体の特性に応じて選択可能な撮影モード、撮影パラメータを自動的に決定するので利用者が遅い記録速度の記録媒体にかかわらず連写撮影モードに設定した場合、選択した記録画素数やフレームレートでは正常に記録できず、駒落ちが発生するなどの不具合の発生を防止でき、使用する記録媒体によってどのような撮影モード、撮影パラメータが使用可能であるかを利用者が試行錯誤する必要がなくなり、撮像記録装置の使い勝手が大幅に向上した。
【００４５】
また、記録媒体交換前の記録媒体種別、記録媒体交換前の撮影モード、撮影パラメータを記録する手段を備えることにより、交換後の記録媒体が交換前の記録媒体よりも高速に記録可能である場合は、記録媒体交換前の撮影モード、撮影パラメータがそのまま使用され、モード設定無しにすぐ撮影できる効果がある。
【図面の簡単な説明】
【図１】第１実施例の動作シーケンスフローチャート
【図２】図１ステップＳ５の詳細フローチャート
【図３】図１ステップＳ１０の撮影モード選択時の詳細フローチャート
【図４】図３ステップＳ２８のフレームレート設定選択時の詳細フローチャート
【図５】図４ステップＳ３１の詳細フローチャート
【図６】図５ステップＳ３９の記録画素数設定選択時の詳細フローチャート
【図７】図６ステップＳ４０終了後の記録画素数設定時の詳細フローチャート
【図８】第１実施例の映像記録装置の構成ブロック図
【図９】第２実施例の映像記録装置の構成ブロック図
【図１０】第３実施例の映像記録装置の構成ブロック図
【図１１】撮影モード連写設定時の表示例
【図１２】撮影モード単写設定時の表示例
【図１３】フレームレート設定選択時の表示例
【図１４】デフォルトの撮影パラメータ設定時のフローチャート
【図１５】図５ステップＳ３６で設定不能のフレーム選択時の警告表示例
【符号の説明】
１  記録媒体種別識別情報
２  記録媒体種別認識手段
３  選択可能撮影モード決定手段
４  表示部制御手段
５  記録媒体特性テーブル
６  空き容量算出手段
７  交換前記録媒体種別記憶手段
８  交換前撮影モード・パラメータ記憶手段
４２１  記録媒体
５０１  表示部
【図１】
0003630851.tif 000002
【図２】
0003630851.tif 000003
【図３】
0003630851.tif 000004
【図４】
0003630851.tif 000005
【図５】
0003630851.tif 000006
【図６】
0003630851.tif 000007
【図７】
0003630851.tif 000008
【図８】
0003630851.tif 000009
【図９】
0003630851.tif 000010
【図１０】
0003630851.tif 000011
【図１１】
0003630851.tif 000012
【図１２】
0003630851.tif 000013
【図１３】
0003630851.tif 000014
【図１４】
0003630851.tif 000015
【図１５】
0003630851.tif 000016